(57)【特許請求の範囲】
【請求項１】
胴体１上に爪孔２２を穿設し、該爪孔２２の前後に取付柱１０，１１を立設し、カバー７は前方の取付柱１０に係合する前方被係合部３２と、後方の取付柱１１内を可動する後方被係合部３３を設け、上壁２６の前端に前方の取付柱１０に対向する弾性片３１を斜設し、側壁２５に引手８の枢軸３６が挿通できる開口部２７を設け、開口部２７の後方側に停止爪３０の基部２９を設置し、停止爪３０の先端が前方側に位置する形に爪杆２８の基部２９を前方へ向けて屈設し、爪孔２２に対向する形に形成し、後方の取付柱１１の内側に、後方取付柱１１から前方へ向って漸次肉厚が減少する引手案内部１８を形成し、カバー７を上方へ移動させたとき、引手案内部１８の上面が、停止爪３０の上辺より上方に位置する形に形成してなることを特徴とする自動停止装置付スライドファスナー用スライダー。
【請求項２】
停止爪３０は開口部２７の後方側を連接して形成し、爪杆２８の基部２９を前方へ向けて屈設し、停止爪３０の先端は開口部２７の下方に位置する形に形成してなる請求項１記載の自動停止装置付スライドファスナー用スライダー。
【請求項３】
胴体１の上翼板２の片側へ偏倚した位置に爪孔２２を穿設し、カバー７の側壁２５に設置した停止爪３０を爪孔２２に挿入し、上翼板２に設置する爪孔２２の底部に停止爪３０とそご状を呈する段部２３を形成してなる請求項１記載の自動停止装置付スライドファスナー用スライダー。
【請求項４】
前方の取付柱１０の上側外面にテーパ面２０を形成するとともに、カバー７の前方被係合部３２の下縁に斜面部３４を形成してなる請求項１記載の自動停止装置付スライドファスナー用スライダー。
【発明の詳細な説明】
【技術分野】
【０００１】
この発明は、自動停止機構を備えたスライドファスナーに用いるスライダーであって、停止爪を有するカバーを引手の引張り操作によって、停止機能を働かせることができる自動停止装置付スライドファスナー用スライダーに関するものである。
【背景技術】
【０００２】
従来、スライダーの胴体の前後に立設したカバー取付柱間に架設するカバーは、図１１に展開して示すように、前方の取付柱の前面に固定するための弾性片を突出状に設け、この弾性片の基部の下方に前方の取付柱に揺動可能に取り付けることができる係止片を左右に設け、カバーの他端すなわち後方には、後方の取付柱に揺動可能に取り付けるための係止片を設け、この係止片の基部に左右そご状の停止爪を外方へ向けて突出するように設け、一方の停止爪の基部を幅広く形成してファスナーエレメントの上面を押圧できる押圧部を形成し、左右の停止爪は、それぞれ胴体の後方に設けた取付柱の両側に穿設した爪孔に挿入し、停止爪と押圧部の基部に引手の枢軸が挿通できる凹状の軸挿入部を設け、この素材を図１２に示すように折り曲げてカバーを形成し、引手の枢軸を取り付けて引手の引き上げ操作によって、カバーの後端を持ち上げて左右の停止爪を前後の線条ファスナーエレメント間から離脱させてスライダーの前後方向への摺動ができるように形成した自動停止装置付スライドファスナー用スライダーが知られている。
【０００３】
また、図１３に示すように、スライダーの胴体に揺動自在に取り付けたカバーにおける左右の側壁に配された前後の線条ファスナーエレメント間に挿入できる停止爪を穿設し、胴体の左右に穿設した爪孔に停止爪を挿入し、胴体の前方に立設した左右のフック状の取付柱にカバー前端に設けた係止片を挿入係止し、かつカバーの先方中央に突出状に設けた弾性片を取付柱間の支持部前面に固定してカバーの後端を上下に揺動できるように形成し、カバーの後端における左右に設けた係止片を胴体の後方に設けたフック状の取付柱に揺動できるように取り付け、カバーの停止爪の基部に設けた開口部に引手の枢軸を挿通して、引手の操作によってカバーを揺動自在に形成し、スライダーを前後に摺動させることができる自動停止装置付スライドファスナー用スライダーが知られている。
【特許文献１】米国特許第２６５７４４５号明細書
【特許文献２】米国特許第３２６７５４４号明細書
【発明の開示】
【発明が解決しようとする課題】
【０００４】
前項で述べた図１１，１２に示した自動停止装置付スライドファスナー用スライダーをはじめ、知られている自動停止機構を備えたスライダーは、殆どがスライダーの胴体内に設置した線条ファスナーエレメントをガイドするガイド溝において、左右の線条ファスナーエレメントが噛合頭部で噛合った状態のファスナーエレメントの脚部間に停止爪を挿入するため、すなわち停止爪を備えたカバーを胴体の後方取付柱側に穿設した爪孔に停止爪を挿入するため、ファスナーエレメントをファスナーテープに縫い付けている縫糸を傷付けたり、また停止爪が挿入される隙間が小さくスライダーの停止機能が充分に果すことが難しいなど問題点がある。
【０００５】
この発明は、上述の問題点を考慮して発明されたものであり、この発明のうち請求項１記載の発明は、カバーに停止爪を配設したタイプの自動停止装置付スライダーにおいて、カバーを胴体の前方の取付柱に取り付け、停止爪を前方取付柱側、すなわち胴体の肩口側に停止爪が配される形に爪杆の基部を屈設し、スライダーの内側形態およびカバーの側壁に形成した停止爪用の形態を特定することによって、停止爪を余裕のある線条ファスナーエレメント間の間隙に挿入でき、縫糸などを傷付けることなく充分に停止機能を発揮し、
かつ停止爪を備えたカバーに引手の枢軸を確実に把持し、カバーが長期の使用に耐えられ、優れた停止機能が発揮でき、円滑な引手操作ができる自動停止装置付スライドファスナー用スライダーを提供することが主たる目的である。
【０００６】
請求項２記載の発明は、請求項１記載の発明の目的に加え、カバーの開口部に連接する爪杆の停止爪の形態を特定し、停止爪を線条ファスナーエレメントの脚部間に容易かつ的確に挿入できる形態に形成した自動停止装置付スライドファスナー用スライダーを提供することが目的である。
【０００７】
請求項３記載の発明は、請求項１記載の発明の目的に加え、停止爪をカバーの片側における側壁のみに設置しても充分に停止機能を発揮でき、故障の少ない性能のよいスライダーが得られ、そのうえ胴体の爪孔から糸屑などが侵入するのを未然に防ぎ、円滑な摺動操作ができる自動停止装置付スライドファスナー用スライダーを提供することが目的である。
【０００８】
請求項４記載の発明は、請求項１記載の発明の目的に加え、停止爪を備えたカバーを胴体に簡易に取り付けることができる形態に形成し、カバーを胴体の前方取付柱にきわめて簡単に取り付け組み付けることができる形態に形成した自動停止装置付スライドファスナー用スライダーを提供することが目的である。
【課題を解決するための手段】
【０００９】
前記の目的を達成するため、この発明のうち請求項１記載の発明は、スライダー胴体１の上面に停止爪３０が挿入できる爪孔２２を穿設し、この爪孔２２の前後すなわちスライダーの肩口側を前方、後口側を後方と称し、前方取付柱１０および後方取付柱１１を立設し、胴体１上へ被覆するカバー７は前方の取付柱１０に係合する前方被係合部３２と、後方の取付柱１１内を上下に可動できる後方被係合部３３を設け、カバー７の上壁２６の前端に前方の取付柱１０に対向する弾性を備えた弾性片３１を斜状に設け、カバー７の両側の側壁２５に引手８の枢軸３６が挿通できる開口部２７を設け、この開口部２７の後方側に停止爪３０の基部２９を設置し、停止爪３０の先端が前方側に位置する形に爪杆２８の基部２９を前方へ向けて折り曲げて爪孔２２に対向する形に形成し、胴体１の後方に立設した取付柱１１の内側に、後方取付柱１１から前方側へ向って漸次肉厚が減少する引手案内部１８を形成し、カバー７を上方へ移動させたとき、引手案内部１８の上面が、停止爪３０の上辺より上方に位置する形に形成した自動停止装置付スライドファスナー用スライダーを主な構成とするものである。
【００１０】
請求項２記載の発明は、請求項１記載の発明の構成に加え、カバー７に設置する停止爪３０は、開口部２７の後方側を連接して形成し、爪杆２８の停止爪３０の基部２９を前方へ向けて屈曲して形成し、停止爪３０の先端は開口部２７の下方に位置する形に形成した自動停止装置付スライドファスナー用スライダーである。
【００１１】
請求項３記載の発明は、請求項１記載の発明の構成に加え、胴体１における上翼板２に穿設する爪孔２２は、上翼板２の片側へ偏倚した位置に穿設し、カバー７の一方の側壁２５に設置した停止爪３０を爪孔２２に挿入し、上翼板２に設置する爪孔２２の底部に、停止爪３０とそご状を呈する段部２３を形成した自動停止装置付スライドファスナー用スライダーである。
【００１２】
請求項４記載の発明は、請求項１記載の発明の構成に加え、胴体１上の前方の取付柱１０における上側外面に斜面を付けてテーパ面２０を形成するとともに、カバー７の前方被係合部３２の下縁に斜面部３４を形成して、カバー７の取付柱１０に対する嵌装を容易にした自動停止装置付スライドファスナー用スライダーである。
【発明の効果】
【００１３】
この出願の発明の効果として、請求項１記載の発明は、胴体上に爪孔を穿設し、該爪孔の前後に取付柱を立設し、カバーは前方の取付柱に係合する前方被係合部と、後方の取付柱内を可動する後方被係合部を設け、上壁の前端に前方の取付柱に対向する弾性片を斜設し、側壁に引手の枢軸が挿通できる開口部を設け、開口部の後方側に爪杆の基部を設置し、停止爪の先端が前方側に位置する形に爪杆の基部を前方へ向けて屈設し、爪孔に対向する形に形成し、後方の取付柱の内側に、後方取付柱から前方へ向って漸次肉厚が減少する引手案内部を形成し、カバーを上方へ移動させたとき、引手案内部の上面が、停止爪の上辺より上方に位置する形に形成したことによって、下記の効果を奏する。
【００１４】
この発明のカバーに停止爪を設置した自動停止機構を備えたスライダーにおいて、特にカバーの側壁に設けた停止爪をスライダーの胴体内における左右の線条ファスナーエレメントが噛合する直前すなわち肩口側の間隙のあるファスナーエレメント間に容易に挿入させ、スライダーの摺動を停止させることができるから、ファスナーストリンガーの縫糸などを傷付けることがなく、余裕のある間隙に停止爪を挿入対応させることができる。そのうえスライダー胴体を従前の製造装置を利用して簡単かつ効率よく製造でき、さらにカバーの開口部に挿通された引手の枢軸が引手案内部の上面を滑動し、枢軸は停止爪の上辺とは接触しないので、カバーに設けた停止爪が長期にわたって使用に耐えられ、効率のよい停止機能を持続できる効果がある。
【００１５】
請求項２記載の発明は、請求項１記載の発明の効果に加え、停止爪は開口部の後方側を連接して形成し、爪杆の基部を前方へ向けて屈設し、停止爪の先端が開口部の下方に位置する形に形成したことによって、停止爪を左右の線条ファスナーエレメントが噛合する直前の間隙部分に容易に配することができ、的確かつ効率よく挿入することができる効果がある。
【００１６】
請求項３記載の発明は、請求項１記載の発明の効果に加え、胴体の上翼板の片側へ偏倚した位置に爪孔を穿設し、カバーの側壁に設置した停止爪を爪孔に挿入し、上翼板に設置する爪孔の底部に停止爪とそご状を呈する段部を形成したことによって、停止爪をたとえカバーの片側の側壁のみに設けても、停止機能を充分に発揮することができ、そのうえ糸屑などが爪孔から侵入する弊害がなく、円滑かつ軽快な摺動操作を行うことができる効果がある。
【００１７】
請求項４記載の発明は、請求項１記載の発明の効果に加え、前方の取付柱の上側外面にテーパ面を形成するとともに、カバーの前方被係合部の下縁に斜面部を形成したことによって、停止爪を備えたカバーを胴体の前方に的確かつ簡易に取り付けることができる効果があるなど、この発明が奏する効果はきわめて顕著である。
【発明を実施するための最良の形態】
【００１８】
この発明の自動停止装置付スライドファスナー用スライダーは、カバーにロック機構として停止爪を備えたスライダーであり、スライダーは図１，２に示すように胴体１、カバー７、引手８の３部材から構成され、胴体１、引手８は金属をダイカスト成形手段により成形し、カバー７は金属をプレス加工によって形成する。
【００１９】
スライダーの胴体１は、上翼板２と下翼板３とを案内柱４で連結し、上翼板２の両側にフランジ５を曲設して線条ファスナーエレメント４０をガイドするガイド溝６を設け、上翼板２は中央長手方向で片側へ偏倚した位置に爪孔２２を穿設し、この爪孔２２の底部すなわちガイド溝６に対面する部分に後方から前方へ向けて低い段部２３を突出状に設け、爪孔２２の前後に前方取付柱１０、後方取付柱１１を上翼板２上に突設する。
【００２０】
前方取付柱１０は、中央に台形の支持部１２を長手方向に設け、支持部１２の前面にカバー７の弾性片３１を嵌装することができる傾斜する案内面１３を形成し、支持部１２の両側の側面には小形の小突起１６を突設してカバー７の前方被係合部３２と当接するとともに、支持部１２の両側に内側がフック状を呈するフック部２１を備えた前方取付柱１０を支持部１２と一体に設ける。後方の取付柱１１は内面両側にカバー７の後方被係合部３３が上下に可動できる凸条に突出するガイド部１９を側面に設け、後方取付柱１１の内面には一方へ偏倚した位置に引手８の枢軸３６を摺接ガイドする引手案内部１８を前方へ向けて傾斜するように突設する。
【００２１】
カバー７は、側壁２５と上壁２６を曲設し、上壁２６の前端に支持部１２の前面に弾接する弾性片３１を延設する。両側の側壁２５には、引手８の枢軸３６が嵌挿する開口部２７を設け、一方の開口部２７の後端から連接して停止爪３０を形成する爪杆２８を下方へ向けて突設し、爪杆２８の基部２９を前方へ向けて折り曲げ、さらに先端を下方へ向けて突出させて開口部２７の下方に位置する形に停止爪３０を形成する。側壁２５の下端前後にそれぞれ外方へ突出する前方被係合部３２と後方被係合部３３を設けて前方取付柱１０のフック部２１および後方取付柱１１のガイド部１９に係合する形態に形成する。
【００２２】
スライダーの組立ては、カバー７の開口部２７に引手８の枢軸３６を嵌挿し、後方被係合部３３を後方取付柱１１のガイド部１９に挿入するとともに、停止爪３０を爪孔２２に対向させ、弾性片３１を支持部１２の案内面１３に弾接させ、前方被係合部３２を前方取付柱１０のテーパ面２０を利用して上方から押し込み、小突起１６を中心にカバー７が回動できる形にフック部２１に係合させる。
【００２３】
引手８によるスライダー操作は、引手８の摘み部３７を摘んで上方へ引張ると、枢軸３６が引手案内部１８に沿って滑動して、カバー７の後方被係合部３３を後方取付柱１１のガイド部１９の可動上限まで持ち上げると同時に、爪孔２２から突出している停止爪３０を後退させ、ガイド溝６から退避させてスライダーを摺動させることができる。この際引手８の枢軸３６は図５に示すように後方取付柱１１に設置した引手案内部１８に接触してカバー７の開口部２７が枢軸３６を抱持して持ち上げるが、引手案内部１８の上面が、停止爪３０の上辺より上方に位置する形に形成することによって、枢軸３６は爪杆２８には接触しない形態に形成する。停止爪３０は図６に示すように左右の線条ファスナーエレメント４０が胴体１のガイド溝６内で噛合直前の間隙のあるファスナーエレメント４０間に挿入してスライダーを停止させる。
【実施例１】
【００２４】
図１〜９に示す実施例１の自動停止装置付スライドファスナー用スライダーは、亜鉛合金またはアルミニウム合金などの金属をダイカスト成形手段によって胴体１、引手８を成形するとともに、スチール板などをプレス加工によってカバー７を形成する。自動停止機構を備えたスライダーは、胴体１、カバー７、引手８の３部材から構成され、カバー７にはロック機構として停止爪３０を備え引手８の操作によって停止爪３０を左右の線条ファスナーエレメント４０間に挿入できる形態であり、ここで用いる引手８は顧客自身が用意した引手８を用いることができ、そのためにスライダーの組立が手作業などによって簡易に組立てることができる形態の自動停止装置付スライダーである。
【００２５】
スライダーの胴体１は図１に示すように、上翼板２と下翼板３とを案内柱で連結し、上翼板２の両側縁にはファスナーテープ３９の側縁上に縫糸４４によってエレメント４０間に挿通された芯紐４５を縫製したファスナーエレメント４０をガイドできるフランジ５を形成し、上翼板２と下翼板３の間にガイド溝６を形成する。上翼板２の中央長手方向で一方に偏った位置、たとえば図１，１０に示すように偏倚した位置に爪孔２２を穿設する。
この爪孔２２の底部にガイド溝６に対面する部分に爪孔２２の後方から前方へ向けて低い段部２３を凸設して爪杆２８に対向させ、爪孔２２の前後に前方取付柱１０および後方取付柱１１を上翼板２の上面に立設する。
【００２６】
上翼板２に立設する前方取付柱１０は、中央長手方向を指向する台形の支持部１２を設け、この支持部１２の前面にカバー７に備えた弾性片３１が弾接できる傾斜する案内面１３を形成する。案内面１３の両側には突出する前方取付柱１０を一体に設け、取付柱１０は後方へ向けてフック状を呈するフック部２１によって前方係合部１４を形成する。フック部２１に面した支持部１２の側面に小さな小突起１６を突設してカバー７に設けた前方被係合部３２と当接係合する。なお上翼板２上に凹状の凹部１７を形成してカバー７の弾性片３１を安定した状態に固定できるように形成する。
【００２７】
上翼板２に立設する後方取付柱１１は、上翼板２の後口側に設け、取付柱１１の内側には爪孔２２に沿って前方へ延びる傾斜する引手案内部１８を設けて、図６に示すように引手８の枢軸３６をガイドする。取付柱１１の内面両側には図５に示すように、外方へ凸条に突出してカバー７に形成した後方被係合部３３が上下に可動することができるガイド部１９を設け、取付柱１１の上端にはカバー７の上動をストップさせる停止部２４が形成されている。なお取付柱１１の内側に形成する引手案内部１８は、図９に示すように片側へ偏った状態で設置する。
【００２８】
カバー７は１枚のスチール板をプレス加工によって形成し、側壁２５と上壁２６および上壁２６の前方から弾性片３１を延設した形態に折り曲げ、かつ両側の側壁２５には三角状の開口部２７を設け、一方の開口部２７の後端から停止爪３０を形成する爪杆２８を下方へ向けて設け、この爪杆２８の基部２９を前方へ向けて折り曲げ、かつ先端を下方へ延ばして開口部２７の下方に位置する形に停止爪３０を形成し、開口部２７に挿通された引手８の枢軸３６を抱え込む形、すなわち略Ｃ字状に抱持する形態に形成する。側壁２５の前後端に前方の取付柱１０に形成した前方係合部１４と係合できる前方被係合部３２と、後方の取付柱１１のガイド部１９を可動できる後方被係合部３３を突設する。なお、停止爪３０は図９に示すように多少内側へ変形してある。
【００２９】
スライダーの組立ては、まずカバー７の開口部２７に引手８の枢軸３６を宛がった状態で後方取付柱１１に後方被係合部３３を挿入し、かつ爪孔２２に停止爪３０を対向させながら、カバー７を図８に示すようにカバー７の前方被係合部３２の下縁に形成した斜面部３４を前方取付柱１０の上端外側に形成したテーパ面２０を利用して上方から押し込み、図９に示すようにフック部２１内に形成した小突起１６に前方被係合部３２を当接係合させることにより、カバー７は小突起１６を中心に後端が後方取付柱１１内で可動できる。
【００３０】
組立てられたスライダーの操作は、図６に示すように引手８を引手案内部１８に沿って斜め上方へ引張るとカバー７の後方被係合部３３が後方取付柱１１のガイド部１９内を移動するとともに、停止爪３０をガイド溝６から退避させてスライダーを後方へ摺動させることができる。このとき枢軸３６は図面に示すとおり引手案内部１８に接触してカバー７を可動させ、枢軸３６は停止爪３０とは一切接触しない。また引手８を前方へ引張ると開口部２７の縁部に沿ってカバー７を持ち上げ、後方被係合部３３が後方取付柱１１のガイド部１９内を移動して停止爪３０をガイド溝６から退避させて前方へスライダーを摺動させることができる。スライダーを停止させたいときは、引手８を離すと停止爪３０は図７に示すように、ファスナーテープ３９に取り付けた左右の線条ファスナーエレメント４０が噛合頭部４１で噛合う直前の間隙のあるファスナーエレメント４０間に挿させ、スライダーを停止させることができる。
【産業上の利用可能性】
【００３１】
この発明の自動停止装置付スライダーは、顧客が所望の引手を用いて、自分自身でスライダーを組立てたいときは、工具を用いずに簡単かつ容易に組立てることができる形態であり、スライダーは線条ファスナーエレメントを用いたファスナーチエンに装備させることができ、ファスナーチエンは各種分野に用いることができる。
【図面の簡単な説明】
【００３２】
【図１】自動停止装置付スライドファスナー用スライダーの分解斜視図である。
【図２】同上スライダーの組立後のスライダーの斜視図である。
【図３】同上スライダーの一部を切欠したスライダーの正面図である。
【図４】同上スライダーの作動状態を示す一部を切欠したスライダーの正面図である。
【図５】同上スライダーで図３におけるＤ−Ｄ拡大断面図である。
【図６】同上スライダーの作動を示す要部の拡大図である。
【図７】同上スライダーで図３のＡ−Ａ断面を示すファスナーチエンの断面図である。
【図８】同上スライダーでカバーを装着直前の状態を示す断面図である。
【図９】同上スライダーでカバーを装着後の状態を示す図３におけるＢ−Ｂ断面図である。
【図１０】同上スライダーで図３におけるＣ−Ｃ断面図である。
【図１１】公知のスライダーのカバー材の展開図である。
【図１２】同上のカバーの斜視図である。
【図１３】他の公知のスライダーの分解斜視図である。
【符号の説明】
【００３３】
１      胴体
２      上翼板
４      案内柱
７      カバー
８      引手
１０      前方取付柱
１１      後方取付柱
１２      支持部
１３      案内面
１４      前方係合部
１５      後方係合部
１６      小突起
１８      引手案内部
１９      ガイド部
２０      テーパ面
２２      爪孔
２３      段部
２５      側壁
２６      上壁
２７      開口部
２８ 爪杆
２９      基部
３０      停止爪
３１      弾性片
３２      前方被係合部
３３      後方被係合部
３４      斜面部
３６      枢軸
【図１】
0004628227.tif 000002
【図２】
0004628227.tif 000003
【図３】
0004628227.tif 000004
【図４】
0004628227.tif 000005
【図５】
0004628227.tif 000006
【図６】
0004628227.tif 000007
【図７】
0004628227.tif 000008
【図８】
0004628227.tif 000009
【図９】
0004628227.tif 000010
【図１０】
0004628227.tif 000011
【図１１】
0004628227.tif 000012
【図１２】
0004628227.tif 000013
【図１３】
0004628227.tif 000014